(57)【特許請求の範囲】
【請求項１】
内接する正八面体の辺が投影されることにより形成された３本の大円状の区画線によって区画された８個の球面正三角形にディンプルが配置されており、ディンプルと交差しない大円である大円帯が全く存在しないゴルフボールであって、
この３本の区画線がいずれも赤道線と一致しておらず、
上記８個の球面正三角形が、一方のポールを含む球面正三角形（Ｔ１）、他方のポールを含む球面正三角形（Ｔ８）及び赤道を含む６個の球面正三角形（Ｔ２−Ｔ７）からなり、球面正三角形Ｔ２、球面正三角形Ｔ３、球面正三角形Ｔ４、球面正三角形Ｔ５、球面正三角形Ｔ６及び球面正三角形Ｔ７が、この順に、赤道に沿って並んでおり、
球面正三角形Ｔ２、Ｔ４及びＴ６のディンプル配置が同一であり、球面正三角形Ｔ３、Ｔ５及びＴ７のディンプル配置が同一であり、
球面正三角形Ｔ１のディンプル配置が、球面正三角形Ｔ８のディンプル配置と異なっており、
球面正三角形Ｔ１のディンプル配置が、球面正三角形Ｔ８のディンプル配置がミラー反転されたものであり、
球面正三角形Ｔ２、Ｔ４及びＴ６のディンプル配置が、球面正三角形Ｔ３、Ｔ５及びＴ７のディンプル配置と異なっており、
球面正三角形Ｔ２、Ｔ４及びＴ６のディンプル配置が、球面正三角形Ｔ３、Ｔ５及びＴ７のディンプル配置がミラー反転されたものであり、
上記３本の区画線のそれぞれが１６個以上のディンプルと中心交差することを特徴とするゴルフボール。
【請求項２】
赤道線と交差する全てのディンプルがこの赤道線と中心交差しない請求項１に記載のゴルフボール。
【請求項３】
上記赤道線と交差するディンプルの個数が１２個以上２４個以下であり、この赤道線と交差する全てのディンプルでは交差代がそのディンプル直径の１／４未満である請求項１又は請求項２に記載のゴルフボール。
【請求項４】
上記赤道線が球面正三角形の辺の中点を結ぶことによって得られる大円と一致している請求項１から請求項３のいずれか１項に記載のゴルフボール。
【発明の詳細な説明】
【０００１】
【発明の属する技術分野】
本発明はゴルフボールに関するものであり、特にゴルフボールのディンプル配置に関するものである。
【０００２】
【従来の技術】
ゴルフボールは、その表面に３００個〜５５０個程度のディンプルを備えている。ディンプルの役割は、ゴルフボール飛行時にゴルフボール周りの空気の流れを乱すことによって境界層の乱流遷移を促進し、乱流剥離を起こさせることにある（以下「ディンプル効果」とも称される）。乱流遷移の促進により空気のゴルフボールからの剥離点が後方に下がり、圧力抵抗が小さくなってゴルフボールの飛距離が増大する。また、乱流遷移の促進により、バックスピンに起因するゴルフボールの上側と下側とにおける剥離点の差が助長され、ゴルフボールに作用する揚力が高められる。従って、乱流遷移を促進しやすいディンプル配置、すなわち空気の流れをよりよく乱すことができるディンプル配置ほど、空力的に優れたものであるといえる。
【０００３】
ディンプルの配置には、正多面体又は準正多面体（以下併せて「多面体」とも称される）が用いられることが多い。すなわち、球に内接する多面体が想定され、球中心から球面に放射される光線によって多面体の辺が球面に投影されて稜線が形成され、この稜線によって球面が区画されてディンプルが配置される。用いられる多面体としては、正六面体、正八面体、正十二面体、正二十面体、立方八面体、２０・１２面体等が挙げられる。
【０００４】
これらの中でも正八面体は、配置されるディンプルが整然と並んで美しいという理由により、一般的なゴルフボールに古くから賞揚されてきた。正八面体の辺が投影された稜線は、大円状の３本の区画線を形成する。これらの区画線は、互いに直交する。区画線によって球面は８個の球面正三角形に区画される。各球面正三角形には、完全に等価に、又は略等価にディンプルが配置される。このようなディンプル配置方法は、正八面体配置と称されている。
【０００５】
ところでゴルフボールは、ともに半球状キャビティを備えた上型及び下型から成形される。成形されたゴルフボール表面の、上型と下型との合わせ目に相当する部分（パーティングライン）には、バリが発生する。このバリは、砥石等で研削・除去される。除去の容易のため、パーティングライン上にはディンプルが形成されないことが多い。通常の正八面体配置では、３本の区画線上にディンプルが全く存在せず、この区画線のうちの１本がパーティングラインと一致している。このようなゴルフボールは、例えば特開昭６０−１１６６５号公報等に開示されている。
【０００６】
このような正八面体配置のゴルフボールではパーティングライン上にディンプルが存在しないので、このパーティングライン（区画線でもある）がバックスピンの周速が最も早い部分（以下「最速部分」とも称される）と一致したときのディンプル効果が不十分となりやすい。また、前述のようにパーティングライン上のバリは研削によって除去されるが、除去時にゴルフボール表面のパーティングライン近傍が一緒に研削され、ディンプルが変形してディンプル効果が減じられてしまうおそれもある。さらに、パーティングライン左右のディンプル配置は同等であり、またパーティングラインに沿って同等のディンプル配置が繰り返されるので、これに起因してパーティングラインが最速部分と一致したときのディンプル効果が不十分となりやすい。すなわち、このような正八面体配置のゴルフボールでは、
（１）ディンプルが存在しない大円帯である、
（２）切削により周囲のディンプルが変形するおそれがある
及び
（３）回転によって出現するディンプル配置が単調である
という３点の悪条件全てが、パーティングライン上で実現されてしまっているのである。
【０００７】
特開平１１−７０１８６号公報には、区画線上にディンプルが存在する正八面体配置のゴルフボールが開示されている。このゴルフボールでは、パーティングライン又はその近傍が最速部分と一致したときのディンプル効果が、区画線上に存在するディンプルにより高められる。すなわち、上記（１）の不都合は解消される。しかしながら、区画線のうちの１本が上記（２）及び（３）の悪条件を依然としてともに満たすことに変わりはない。
【０００８】
【発明が解決しようとする課題】
本発明はこのような問題に鑑みてなされたものであり、整然として美しいという正八面体配置の長所が生かされつつ、特定の大円が最速部分と一致したときのディンプル効果の低減が抑制されたゴルフボールの提供を目的とするものである。
【０００９】
【課題を解決するための手段】
上記の目的を達成するためになされた発明は、
内接する正八面体の辺が投影されることにより形成された３本の大円状の区画線によって区画された８個の球面正三角形に等価に又は略等価にディンプルが配置されており、ディンプルと交差しない大円である大円帯が全く存在しないゴルフボールであって、
この３本の区画線がいずれも赤道線と一致していないことを特徴とするゴルフボール、
である。
【００１０】
このゴルフボールでは、赤道線が区画線と一致していないので、切削によりディンプルが変形するおそれのある部分（赤道線の近傍）と、回転によって出現するディンプル配置が単純である部分（区画線の近傍）とが一致しない。従って、上記（２）及び（３）の悪条件を同時に満たす大円、すなわち最速部分と一致したときのディンプル効果の低減が極端に大きい大円が存在しない。しかも、このゴルフボールには、大円帯（ディンプルと交差しない大円）が存在しない。このため、このゴルフボールは飛距離に優れ、また、空力的対称性にも優れる。また、このゴルフボールでは８個の球面正三角形に等価に又は略等価にディンプルが配置されているので、ディンプルが整然と並んで美しい。
【００１１】
ここで赤道線とは、上型及び下型から成形されるゴルフボールが地球儀と想定され、上型キャビティの最上部が北極点とされ、下型キャビティの最下点が南極点とされたときの、ゼロ度の緯線に相当する線である。なお、上型及び下型がともに完全な半球状キャビティを備える場合は、赤道線はパーティングライン（金型を分割する線）と一致する。
【００１２】
前述のようにこのゴルフボールには大円帯が存在しないので、赤道線もディンプルと交差する。好ましくは、赤道線と交差する全てのディンプルはこの赤道線と中心交差しない。中心交差とは、ディンプルの中心（円形でないディンプルの場合は重心）を線が通過するようにディンプルと線とが交差することを意味する。赤道線と交差するディンプルが赤道線と中心交差しないので、このディンプルと赤道線との交差代（ディンプルに接してかつ赤道線に平行な線のうち赤道線に近いものと赤道線との距離）は、そのディンプル直径の１／２未満となる。大円帯が存在しないゴルフボールは通常パーティングラインが凹凸状である金型から成形されるが、交差代がディンプル直径の１／２未満であれば、パーティングラインが赤道線からさほど離される必要が無く、凹凸の程度が少なくてすむ。従って、金型の作製やゴルフボールの成形にさほどの困難が伴わない。
【００１３】
好ましくは、赤道線と交差するディンプルの個数は１２個以上２４個以下である。これにより、赤道線が最速部分と一致したときのディンプル効果の低減抑制とゴルフボール製造の容易性とが両立される。また、好ましくは、赤道線と交差する全てのディンプルでの交差代はそのディンプル直径の１／４未満である。これによりパーティングラインの凹凸の程度がさらに小さくなる。
【００１４】
好ましくは、３本の区画線のそれぞれは１６個以上のディンプルと中心交差する。これにより、区画線が最速部分と一致したときのディンプル効果の低減が抑制される。
【００１５】
好ましくは、赤道線は球面正三角形の辺の中点を結ぶことによって得られる大円と一致する。これにより、赤道線に沿ってゴルフボールが一回転したとき、赤道線の左右それぞれに、３個の球面二等辺三角形と３個の球面台形とが交互に出現する。従って、回転によって出現するディンプル配置が単調でなく、赤道線が最速部分と一致したときのディンプル効果の低減が抑制される。
【００１６】
【発明の実施の形態】
以下、適宜図面が参照されつつ、本発明の実施形態が説明される。
【００１７】
図１は、本発明の一実施形態にかかるゴルフボールが示された正面図である。また、図２は、図１のゴルフボールの平面図である。また、図３は、図１のゴルフボールの斜め上方からの斜視図である。このゴルフボールの直径は、通常４２．６７ｍｍから４３．００ｍｍ程度である。このゴルフボールは、表面に多数のディンプル１を備えている。図１に例示されるように、ディンプル１には、その直径が大きなものから順にＡディンプル、Ｂディンプル、Ｃディンプル及びＤディンプルの４種が存在する。
【００１８】
このゴルフボールのディンプルは、正八面体配置である。すなわち、球面に内接する正八面体が想定され、この正八面体の１２本の辺が投影された１２本の稜線によって球面が球面正三角形に区画されている。４本の稜線が連続することで大円状の区画線Ｌが形成されている。図１に示されるように、区画線Ｌは３本存在する。区画線Ｌは、球面正三角形の頂点にて他の区画線Ｌと直交している。図１から図３において符号Ｔ１からＴ８で示されるように、球面正三角形は８個存在している。各球面正三角形Ｔ１−Ｔ８には、ほぼ等価にディンプル１が配置されている。なお、後に詳説されるように、各球面正三角形Ｔ１−Ｔ８のディンプル１配置は、完全に等価ではない。
【００１９】
図３から明らかなように、区画線Ｌの両側のディンプル配置は、ほぼ線対称である。また、区画線Ｌが最速部分と一致する場合、ゴルフボールが一回転する間に、この区画線Ｌの左右にはそれぞれ球面正三角形が４回ずつ出現する。この出現は単調であるので、区画線Ｌが最速部分と一致する場合はディンプル効果がやや低減する。
【００２０】
図１及び図３において符号Ｅで示されるのは、赤道線である。また、球面のうち赤道線Ｅから最も遠い位置が、ポールＰである。ポールＰは、上下で２カ所存在する。図１から明らかなように、赤道線Ｅはディンプル１と交差する。このゴルフボールには、大円帯は存在しない。
【００２１】
図４は、図１のゴルフボールが示された拡大部分図である。この図では、赤道線ＥとともにパーティングラインＰＬが画かれている。パーティングラインＰＬは直線部分と曲線部分とからなり、直線部分は赤道線Ｅと一致している。パーティングラインＰＬは、上型と下型との合わせ目である。図４から明らかなように、パーティングラインＰＬはディンプル１を避けて存在している。これによりディンプル１の中にバリが発生することが防止され、バリの研削・除去が容易となる。
【００２２】
バリが研削される際、パーティングラインＰＬの近傍が切削されてディンプル１が変形することがある。ディンプル１の変形により、赤道線Ｅが最速部分と一致したときのディンプル効果が低減することがある。このゴルフボールでは、赤道線Ｅは区画線Ｌとは一致していない。すなわち、ディンプル１の変形によってディンプル効果が低減するおそれがある箇所（赤道線Ｅ）と、回転によって出現するディンプル配置が単調であることによってディンプル効果が低減するおそれがある箇所（区画線Ｌ）とが一致していない。従って、両者の相乗効果によって極端にディンプル効果が低減してしまう箇所が存在しない。ディンプル効果の低減抑制の観点から、両者はなるべく離れているのが好ましい。具体的には、ある一つの区画線Ｌを含む平面と赤道線Ｅを含む平面とがなす球の中心角度は２０度（ｄｅｇ）以上が好ましく、３０度以上が特に好ましい。そして、このような赤道線Ｅとの関係が、全ての区画線Ｌにおいて達成されるのが好ましい。両者が最も離れた場合の中心角度は９０度である。なお、図１から図４に示されたゴルフボールでは、この中心角度は３５．２６度である。
【００２３】
図４に示されるように、赤道線Ｅはディンプル１と中心交差しない。従って、赤道線Ｅと、この赤道線Ｅと交差するディンプル１との交差代（図４において両矢印Ｉで示される）は、このディンプル１の直径の１／２未満である。これにより、パーティングラインＰＬのうち赤道線Ｅから最も離れた部分と赤道線Ｅとの距離（図４において両矢印Ｗで示される）が小さくされうる。すなわち、パーティングラインＰＬの凹凸の程度が少なく、従って金型の作製やゴルフボールの成形が容易である。交差代Ｉは当該ディンプル１の直径の１／４未満が好ましく、また、このような赤道線Ｅとの関係が赤道線Ｅと交差する全てのディンプル１において達成されるのが好ましい。なお、図４では、赤道線Ｅと交差するディンプル１の直径は４．００ｍｍであり、交差代Ｉは０．２５ｍｍである。従って、交差代Ｉはディンプル１直径の約６．２５％である。
【００２４】
図４のゴルフボールでは、パーティングラインＰＬはディンプル１のエッジからやや離れて（すなわち図４では上方に）形成されているが、パーティングラインＰＬがディンプル１のエッジと一致してもよい。これにより、パーティングラインＰＬのうち赤道線Ｅから最も離れた部分と赤道線Ｅとの距離Ｗがより小さくされる。
【００２５】
赤道線Ｅと交差するディンプル１の個数は１２個以上２４個以下が好ましく、１６個以上２０個以下が特に好ましい。個数が上記範囲未満であると、赤道線Ｅが最速部分と一致したときのディンプル効果が低減してしまうことがある。逆に、個数が上記範囲を超えると、金型の作製やゴルフボールの成形が困難となってしまうことがある。前述のように、金型作成の都合等の理由からは交差代Ｉは小さい方が好ましいが、あまりに小さすぎると赤道線Ｅが最速部分と一致したときのディンプル効果が低減してしまうことがある。この観点から、少なくとも１２個以上のディンプル１が、０．１５ｍｍ以上の交差代で赤道線Ｅと交差するのが好ましい。なお、図１から図４に示されたゴルフボールでは、赤道線Ｅと交差するディンプル１の個数は１８個である。
【００２６】
図３から明らかなように、区画線Ｌはディンプル１と中心交差している。前述のように区画線Ｌに沿ってゴルフボールが回転したときに出現するディンプル配置は単調であるが、区画線Ｌがディンプル１と中心交差することにより、ディンプル効果の低減が抑制される。この観点から、１本の区画線Ｌと中心交差するディンプル１の個数は１６個以上が好ましく、１８個以上が特に好ましい。そして、この範囲内の中心交差数が全ての区画線Ｌにおいて達成されるのが好ましい。なお、図１から図４に示されたゴルフボールでは、１本の区画線Ｌと中心交差するディンプル１の個数は２０個である。
【００２７】
図１から明らかなように、赤道線Ｅは、球面正三角形Ｔ１−Ｔ８の隣り合う辺の中点（例えば、球面正三角形Ｔ７では点ｂ及び点ｃ）同士が結ばれることによって形成されている。赤道線Ｅは、球面正三角形Ｔ１−Ｔ８を球面二等辺三角形（点ａ、点ｂ及び点ｃが結ばれることによって得られる）と、球面台形（点ｂ、点ｄ、点ｅ及び点ｃが結ばれることによって得られる）とに区分する。赤道線Ｅに沿ってゴルフボールが一回転したとき、赤道線Ｅの左右それぞれに、３個の球面二等辺三角形と３個の球面台形とが交互に出現する。従って、回転によって出現するディンプル配置が単調でなく、赤道線Ｅが最速部分と一致したときのディンプル効果の低減が抑制される。
【００２８】
ここで、図１から図４に示されたゴルフボールのディンプル配置手法が詳説される。この手法では、まず図５に示されるように、球面正三角形Ｔのなかに直径の異なる４種類のディンプル１が配置される。このディンプル配置は、三重回転対称である。すなわち、球面正三角形Ｔの重心を通過する軸Ｏの回りに１２０度回転されることにより、元の配置となる。この球面正三角形Ｔの配置が８個の球面正三角形（Ｔ１からＴ８）に展開され、球面全体にディンプル１が配置される。この際、球面正三角形Ｔ１、Ｔ３、Ｔ５及びＴ７には、図５の球面正三角形Ｔのディンプル配置がそのまま展開される。一方、球面正三角形Ｔ２、Ｔ４、Ｔ６及びＴ８には、図５の球面正三角形Ｔのディンプル配置がミラー反転されたディンプル配置が展開される。このミラー反転されたディンプル配置は、元の球面正三角形Ｔのディンプル配置と線対称である。すなわち、全体にディンプル１が配置された球面では、８個の球面正三角形は全て等価である。なお、本明細書でディンプル配置が等価であるとは、ディンプル配置同士が同一であるか、又はディンプル配置同士が線対称である状態を意味する。
【００２９】
図５において符号ｚで示される３個のディンプルは、直径が最小であるＤディンプルである。また、符号ｘ及び符号ｙで示されるディンプルは、直径が２番目に大きなＢディンプルである。球面正三角形Ｔ２からＴ７において、符号ｚで示されるディンプルのうちの１個は、赤道線Ｅと中心交差する（図１において点線で示されたディンプルｚを参照）。このように赤道線Ｅと中心交差するディンプルが存在すると、金型の作製やゴルフボールの成形が困難となる。そこで、図１では１個のディンプルｚが削除されている。また、ディンプルｚの削除によって広面積のランド部（ディンプルでない領域）が形成されてしまうことを防止する目的で、図５におけるディンプルｘ及びディンプルｙの直径が大きくされ、Ａディンプルとされる（図１において符号ｘ’及び符号ｙ’で示される）。また、削除されたディンプルｚの回りのディンプルの位置が、微調整される。
【００３０】
ゴルフボール全体での対称性を大幅には損なわせないという理由から、削除されるディンプル１の個数は、全ディンプル個数（削除前の個数）の５％以下、特には２％以下が好ましい。また、ゴルフボール全体での対称性を大幅には損なわせないという理由及び外観上目立ちにくいという理由から、削除されるディンプル１は直径が最も小さなＤディンプルであるのが好ましい。図１から図４に示されたゴルフボールでは、Ｔ２からＴ７の６個の球面正三角形において１個ずつの、すなわちゴルフボール全体では６個のディンプルｚが削除されている。
【００３１】
ゴルフボール全体での対称性を大幅には損なわせないという理由から、直径の変更又は位置の移動が行われるディンプル１の個数は、全ディンプル個数（削除前の個数）の２５％以下、特には２０％以下が好ましい。図１から図４に示されたゴルフボールでは、Ｔ２からＴ７の６個の球面正三角形において２個ずつの、すなわちゴルフボール全体では１２個のディンプル１が、直径変更されている。また、図１から図４に示されたゴルフボールでは、Ｔ２からＴ７の６個の球面正三角形において１０個ずつのディンプル１が、位置移動されている。この１０個には、上記直径変更がなされかつ位置移動がなされた２個のディンプル１と、位置移動のみがなされた８個のディンプル１とが含まれる。ゴルフボール全体で位置移動がなされたディンプル１の個数は６０個である。従って、直径変更又は位置移動が行われたディンプル１の個数は、６０個となる。
【００３２】
すなわち、このゴルフボールの、球面正三角形Ｔ３、Ｔ５及びＴ７のディンプル配置は、球面正三角形Ｔ１のディンプル配置から、ディンプルｚの削除、ディンプル１の直径変更及びディンプル１の位置移動の微調整が行われたものである。また、球面正三角形Ｔ２、Ｔ４及びＴ６のディンプル配置は、球面正三角形Ｔ８のディンプル配置から、ディンプルｚの削除、ディンプル１の直径変更及びディンプル１の位置移動の微調整が行われたものである。そして、球面正三角形Ｔ３、Ｔ５及びＴ７のそれぞれのディンプル配置は、球面正三角形Ｔ２のディンプル配置（Ｔ４及びＴ６のディンプル配置でもある）と線対称である。
【００３３】
このように、互いに等価（すなわち同一か又は線対称）なディンプル配置を有する２個の球面正三角形の一方又は両方において、前述のような、対称性が大幅には損なわれない範囲でディンプル１の削除、直径の変更、位置の移動等が行われた場合、両者の関係は、本明細書では「略等価」と称される。そして、全ての球面正三角形Ｔ１−Ｔ８が互いに等価又は略等価であるディンプル配置が、本明細書では「正八面体配置」と称される。
【００３４】
前述のように、このゴルフボールには、直径の異なるＡからＤの４種類のディンプル１が設けられている。空気の流れがよりよく乱されるという理由から、ディンプル１の種類は２以上、特には４以上が好ましい。また、同様の理由から、ゴルフボール仮想球の表面積に対するディンプル面積の総和の比率は、６０％以上９０％以下が好ましい。
【００３５】
【実施例】
以下、実施例に基づいて本発明の効果が明らかにされるが、この実施例の記載に基づいて本発明が限定的に解釈されるべきではないことはもちろんである。
【００３６】
［実施例］
ソリッドゴムからなるコア層の周りにアイオノマー樹脂組成物を射出成形してカバー層を形成し、ディンプル配置が図１から図３に示された正八面体配置である実施例のゴルフボールを得た。このゴルフボールは、下記の表１に示されるように、直径が４．００ｍｍのＡディンプルを１９２個、直径が３．７５ｍｍのＢディンプルを１０８個、直径が３．３０ｍｍのＣディンプルを６０個、そして直径が２．４０ｍｍのＤディンプルを３０個備えており、ディンプル総数は３９０個である。このゴルフボールでは大円帯は存在しておらず、また、区画線と赤道線は一致していない。このゴルフボールには赤道線と交差するディンプルが１８個存在し、従ってパーティングラインは凹凸状である。このゴルフボールの外径は４２．７０ｍｍ±０．０３ｍｍであり、コンプレッションは９０±２の範囲内であった。また、ディンプル容積（ディンプルエッジを含む平面とディンプル表面との間の容積）の総和は、３２０ｍｍ３であった。
【００３７】
［比較例１］
正面図が図６に、そして平面図が図７に示されるようなディンプル配置とした他は実施例と同様にして、比較例１のゴルフボールを得た。このゴルフボールは、下記の表１に示されるように、直径が４．５０ｍｍのＡディンプルを１６８個、そして直径が３．４０ｍｍのＢディンプルを１６８個備えており、ディンプル総数は３３６個である。このゴルフボールは正八面体配置であり、３本の区画線はディンプルと交差しない大円帯である。区画線のうちの１本は赤道線と一致しており、従って赤道線はディンプルと交差しない。このため、パーティングラインは凹凸状とされる必要がない。
【００３８】
［比較例２］
正面図が図８に、そして平面図が図９に示されるようなディンプル配置とした他は実施例と同様にして、比較例２のゴルフボールを得た。このゴルフボールは、下記の表１に示されるように、直径が４．００ｍｍのＡディンプルを１９２個、直径が３．７５ｍｍのＢディンプルを１０８個、直径が３．３０ｍｍのＣディンプルを６０個、そして直径が２．４０ｍｍのＤディンプルを３０個備えており、ディンプル総数は３９０個である。このゴルフボールは実施例のゴルフボールのディンプル位置を微小に移動させて、赤道線がディンプルと交差しないようにしたものである。従って、このゴルフボールには大円帯が１本存在し、また、区画線と赤道線とは一致していない。また、パーティングラインは凹凸状とされる必要がない。
【００３９】
【表１】
0004519978.tif 000002
【００４０】
［対称性テスト］
実施例及び比較例１のゴルフボールを４０個ずつ用意した。一方、ツルテンパー社製のスイングロボットにメタルヘッド製のドライバー（Ｗ１）を取り付け、ヘッド速度が４９ｍ／ｓとなるようにマシン条件を調整した。そして、各ゴルフボールを打撃し、キャリー（発射地点から落下地点までの距離）を測定した。打撃に際しては、ポール打ちとシーム打ちとを交互に行った。なお、ポール打ちとは、両ポールを結ぶ直線とゴルフボールの中心で直交する直線がバックスピンの回転軸となるようなゴルフボールの打撃の仕方である。また、シーム打ちとは、両ポールを結ぶ直線がバックスピンの回転軸となるようなゴルフボールの打撃の仕方である。この結果が、下記の表２に示されている。
【００４１】
0004519978.tif 000003
【００４２】
表２において実施例のゴルフボールは、比較例１のゴルフボールに比べてポール打ちとシーム打ちとの差が少ない。これは、実施例のゴルフボールでは赤道線（切削により周囲のディンプルが変形するおそれがある箇所）と区画線（回転によって出現するディンプル配置が単調である箇所）とが一致しておらず、しかも赤道線は大円帯でないため、バックスピンの周速が最も速い部分が赤道線となるシーム打ちの際のディンプル効果の低減が防止されることによる。また、表２において、比較例１のゴルフボールよりも実施例のゴルフボールの方が飛距離が大きい。これは、実施例のゴルフボールの方が、ディンプル効果を減じる大円帯が少ないためである。
【００４３】
［飛距離テスト］
実施例及び比較例２のゴルフボールを２０個ずつ用意した。一方、前述のドライバーをスイングロボットに取り付け、ヘッド速度が４５ｍ／ｓ、打ち出し角度が１０度、バックスピン速度が３０００ｒｐｍとなるようにマシン条件を調整した。そして、各ゴルフボールを打撃し、トータル飛距離（発射地点からゴルフボール静止地点までの距離）を測定した。この結果が、下記の表３に示されている。
【００４４】
0004519978.tif 000004
【００４５】
表３において、実施例のゴルフボールは比較例２のゴルフボールに比べて飛距離が大きい。これは、実施例のゴルフボールでは赤道線がディンプルと交差しており、従って表面に大円帯が存在していないためである。これらの評価結果より、本発明の優位性が確認された。
【００４６】
【発明の効果】
以上説明されたように、本発明のゴルフボールでは、特定の大円が最速部分と一致したときのディンプル効果の低減が抑制される。従ってこのゴルフボールは、空力的対称性に優れかつ飛距離に優れる。また、このゴルフボールのディンプルは正八面体配置であり整然としているので、見る者に美観を与える。
【図面の簡単な説明】
【図１】図１は、本発明の一実施形態にかかるゴルフボールが示された正面図である。
【図２】図２は、図１のゴルフボールが示された平面図である。
【図３】図３は、図１のゴルフボールが示された斜め上方からの斜視図である。
【図４】図４は、図１のゴルフボールが示された拡大部分図である。
【図５】図５は、図１から図４のゴルフボールのディンプル配置方法を説明するための正面図である。
【図６】本発明の比較例１のゴルフボールが示された正面図である。
【図７】図６のゴルフボールが示された平面図である。
【図８】本発明の比較例２のゴルフボールが示された正面図である。
【図９】図８のゴルフボールが示された平面図である。
【符号の説明】
１・・・ディンプル
Ｌ・・・区画線
Ｅ・・・赤道線
Ｐ・・・ポール
Ｔ１−Ｔ８・・・球面正三角形
【図１】
0004519978.tif 000005
【図２】
0004519978.tif 000006
【図３】
0004519978.tif 000007
【図４】
0004519978.tif 000008
【図５】
0004519978.tif 000009
【図６】
0004519978.tif 000010
【図７】
0004519978.tif 000011
【図８】
0004519978.tif 000012
【図９】
0004519978.tif 000013